(57)【要約】【課題】被写体までの撮影距離を簡単かつ適切に決めることができるようにしたカメラを提供する。【解決手段】カメラ２は、ストラップ１０と、つまみ８と、スライドボリューム３０と、マイコン４０とを備える。ストラップ１０は、一端側がコネクタ２０を介してカメラボディ３に接続され、フリーになった他端側に向かってＬＥＤ１１ａ〜１１ｆが離散的に配列されている。つまみ８は、マクロ撮影を行なうときに操作され、その操作量に応じて撮影レンズ４を移動させてピントが合う撮影距離を調節する。スライドボリューム３０は、つまみ８の操作量に応じた電圧を出力する。マイコン４０は、この電圧に対応し、ＬＥＤ１１ａ〜１１ｆのうち、つまみ８によって調節された撮影距離と略同じ位置にあるものを点灯させる。【選択図】        図１
2004198850.tif 000002
【特許請求の範囲】
【請求項１】
通常の撮影距離範囲を合焦範囲に含むパンフォーカス型の撮影レンズを有するカメラにおいて、
カメラボディに一端側が接続され、フリーになった他端側に向かって複数個の発光部が離散的に配列されたストラップと、
前記通常の撮影距離範囲よりも撮影距離が近くなるマクロ撮影を行なうときに操作され、その操作量に応じて前記撮影レンズに含まれる少なくとも一部のレンズを移動させてピントが合う撮影距離を調節するマクロ撮影用操作手段と、
このマクロ撮影用操作手段の操作量に応じた調節信号を出力する調節信号出力手段と、
前記調節信号に対応し、前記複数個の発光部のうち、ストラップの前記一端からマクロ撮影用操作手段で調節された撮影距離と略同じ位置にある発光部を点灯させる点灯制御手段とを有することを特徴とするカメラ。
【請求項２】
複数個の発光部のそれぞれがストラップに組み込まれた発光ダイオードからなり、ストラップ内部の信号線を介してカメラボディに内蔵された点灯制御手段によって点灯されることを特徴とする請求項１記載のカメラ。
【請求項３】
前記点灯制御手段が、撮影距離を間に含む隣接した２個の発光ダイオードを点灯させることを特徴とする請求項２記載のカメラ。
【発明の詳細な説明】
【０００１】
【発明の属する技術分野】
本発明は、パンフォーカスタイプの撮影レンズを用いながらもマクロ撮影ができるようにしたカメラに関するものである。
【０００２】
【従来の技術】
【特許文献１】
実用新案登録第３０８３７５５号公報
【０００３】
オートフォーカス装置を省略したローコストタイプの写真カメラやデジタルカメラには、パンフォーカスタイプの撮影レンズが用いられている。パンフォーカス型の撮影レンズは、レンズを全く移動させなくても、例えば１．２ｍから無限遠に至る通常の撮影距離を合焦範囲に含むが、撮影距離が１．２ｍより近くなるとピントの合った撮影ができなくなる。
【０００４】
ところが、ローコストタイプのカメラであっても、草花の撮影など、撮影距離が数１０ｃｍ程度になるいわゆるマクロ撮影を行ないたいという要望が多く、パンフォーカス型のレンズを用いたカメラにもその機能が求められている。あまりコストをかけずにこれに対処するには、標準状態でパンフォーカス位置にセットされている撮影レンズ（あるいはその一部）を移動できるようにしておき、マクロ撮影域でもピントが合うようにしておけばよい。
【０００５】
この場合、コストを節約するにはマニュアル操作で撮影レンズを移動させるのが有利であるが、特にマクロ撮影域では被写界深度がかなり浅くなるので、撮影レンズの位置に応じて被写体までの撮影距離を正しく合わせておく必要がある。ところが、外光式のファインダや表示画素数が限られている液晶ファインダだけでは、撮影距離が適切であるか否かがわかりにくい。
【０００６】
なお、マクロ撮影への切替え時に、撮影レンズを例えば撮影距離５０ｃｍにピントが合う位置だけに移動させるようにしておけば、被写体からの距離を目視で判断して対応したり、あるいは特許文献１で知られるようにメジャー付きのストラップを利用することで対応することもできるが、撮影レンズを移動させる以上は、やはりマクロ撮影領域内でも様々な撮影距離のもとで撮影できるようにしておくのが好ましい。
【０００７】
【発明が解決しようとする課題】
上述のように、標準状態でパンフォーカス位置にセットされている撮影レンズマクロ撮影域に移動させたときには、その移動位置で決まる撮影距離を撮影者に知らせることが必要になる。ところが、特許文献１のように、単に距離目盛を付したストラップを効果的に用いるには、撮影レンズの移動距離に応じた撮影距離を撮影者が的確に把握していなければならず、撮影レンズの移動量に応じて撮影距離を把握させるための手段が必要となる。そして、撮影距離を認識した上で被写体に向けてストラップを伸ばし、その目盛を読み取ってカメラとの間隔を測定するといった手順を要し、撮影操作が面倒である。
【０００８】
本発明は上記従来技術のもつ難点を解決し、マクロ撮影領域に撮影レンズを移動したときには、その移動位置に応じて被写体までの撮影距離を簡単かつ適切に決めることができるようにしたカメラを提供することを目的とする。
【０００９】
【課題を解決するための手段】
上記目的を達成するために、本発明のカメラは、通常の撮影距離範囲を合焦範囲に含むパンフォーカス型の撮影レンズを有するカメラにおいて、カメラボディに一端側が接続され、フリーになった他端側に向かって複数個の発光部が離散的に配列されたストラップと、前記通常の撮影距離範囲よりも撮影距離が近くなるマクロ撮影を行なうときに操作され、その操作量に応じて前記撮影レンズに含まれる少なくとも一部のレンズを移動させてピントが合う撮影距離を調節するマクロ撮影用操作手段と、このマクロ撮影用操作手段の操作量に応じた調節信号を出力する調節信号出力手段と、前記調節信号に対応し、前記複数個の発光部のうち、ストラップの前記一端からマクロ撮影用操作手段で調節された撮影距離と略同じ位置にある発光部を点灯させる点灯制御手段とを有することを特徴するものである。
【００１０】
また、複数個の発光部のそれぞれがストラップに組み込まれた発光ダイオードからなり、ストラップ内部の信号線を介してカメラボディに内蔵された点灯制御手段によって点灯されることが好ましい。
【００１１】
また、前記点灯制御手段が、撮影距離を間に含む隣接した２個の発光ダイオードを点灯させることが好ましい。
【発明の実施の形態】
【００１２】
図１に本発明を用いたカメラ２の外観を示す。カメラボディ３の前面には、撮影レンズが組み込まれたレンズ鏡筒５、対物側のファインダ窓６等が設けられており、カメラボディ３の上面には、シャッタレリーズ操作に用いられるシャッタボタン７、ピントが合う撮影距離を調節するために用いられるつまみ８が設けられている。
【００１３】
撮影レンズ４は、パンフォーカス型のレンズであり、つまみ８が通常撮影位置（指標「Ｎ」）にセットされている状態では、例えば１．２ｍから無限遠までの通常の距離範囲が合焦距離に含まれている。したがって、オートフォーカス装置を用いることなく、ほとんどの場合、ピント合わせを全く考慮せずにピントの合った撮影を行なうことができる。
【００１４】
つまみ８は、マクロ撮影範囲（指標「Ｍ」）に移動されると、その移動距離に応じて撮影レンズ４が繰り出される。これにより、通常の撮影距離が合焦距離から外れる代わりに、例えば８ｃｍ〜５０ｃｍのマクロ撮影距離の中で、つまみ８のセット位置に応じた撮影距離にピントが合うようになる。
【００１５】
カメラボディ３の側面には、ループ状にしたストラップ１０の一端側がコネクタ２０により連結され、他端側はフリーになっている。ストラップ１０の内部には、発光ダイオード（以下、ＬＥＤと略記する）１１ａ〜１１ｆを実装したフレキシブル配線板１２が組み込まれ、コネクタ２０を介してカメラボディ３に内蔵されたマイコン４０（図３に図示）と電気的に接続されている。フレキシブル配線板１２の表面は、半透明なビニルシート材で覆われており、その光の透過率は、撮影者がＬＥＤ１１ａ〜１１ｆの発光を目視できる範囲で設定される。なお、ストラップ１０の強度は、カメラ３の重量に十分耐えうるものとする。また、ストラップ１０の用途は、ハンドストラップ、ネックストラップ、ショルダーストラップ等のいずれとしてもよい。
【００１６】
図２はカメラ２を上方から見た概略図であり、ストラップ１０を被写体へ向けて伸ばした状態を示す。被写体として例えば被写体Ａ及び被写体Ｂが図示されている。ＬＥＤ１１ａ〜１１ｆは、同図に示すようにカメラボディ３の前面からの距離に応じてそれぞれ離散的に８ｃｍから５０ｃｍに渡って配置されている。ＬＥＤ１１ａは８ｃｍ、ＬＥＤ１１ｂは１５ｃｍ、ＬＥＤ１１ｃは２０ｃｍ、ＬＥＤ１１ｄは２５ｃｍ、ＬＥＤ１１ｅは３０ｃｍ、ＬＥＤ１１ｆは５０ｃｍの撮影距離に対応する位置に設けられている。
【００１７】
図３に撮影レンズ４の移動機構を概略的に示す。つまみ８には、撮影レンズ４のレンズ鏡筒５から突出したレバー５ａと、スライドボリューム３０の可動片３１とが係合している。つまみ８は同図（Ａ）に示す通常撮影位置でクリック止めされ、撮影レンズ４はパンフォーカス位置となって、１．２ｍから無限遠にピントが合っている。可動片３１がこの位置にあるとき、スライドボリューム３０から略３ＶのＤＣ電圧が出力される。
【００１８】
クリック止めされているつまみ８を矢印方向に移動して同図（Ｂ）に示すようにマクロ撮影範囲内へ移動させると、その移動量に応じてレバー５ａが回転して撮影レンズ４が繰り出される。これにより、ピントの合う撮影距離は短くなり、つまみ８のセット位置に応じて８ｃｍから５０ｃｍの間のどこかでピントが合ようになる。また、つまみ８の移動量に応じてスライドボリューム３０の可動片３１がスライドし、このスライド量に対応したＤＣ電圧が０Ｖ〜２．５Ｖの範囲で出力される。
【００１９】
このように、つまみ８は、撮影レンズ４を移動させて通常の撮影距離よりも近いマクロ撮影を行なうときに操作されるマクロ撮影用操作手段として用いられている。また、スライドボリューム３０は、周知のように可動片３１のスライド量に応じて内部の可変抵抗値を変化させることにより、スライド量に対応したＤＣ電圧を０〜３Ｖの範囲で出力するように構成されており、つまみ８の操作量に応じたＤＣ電圧（調節信号）を出力する調節信号出力手段として用いられる。なお、スライドボリューム３０を鏡筒５に取り付け、レバー５ａがスライドボリューム３０の可動片３１を兼ねるように構成し、レバー５ａの回転に連動してＤＣ電圧が出力されるようにしてもよい。
【００２０】
マイコン４０は、スライドボリューム３０からの出力電圧を受けて、ストラップ１０に組み込まれたＬＥＤ１１ａ〜１１ｆの点灯を制御する。図４にマイコン４０とＬＥＤ１１ａ〜１１ｆとの電気的な接続状態を示すように、マイコン４０は、コネクタ２０に内蔵された端子２０ａ〜２０ｂを介してフレキシブル配線板２０に配線された信号線１２ａ〜１２ｃに接続している。ＬＥＤ１１ａ及びＬＥＤ１１ｂは信号線１２ｂから信号線１２ａへ順方向、ＬＥＤ１１ｃは信号線１２ｃから信号線１２ｂへ順方向、ＬＥＤ１１ｄは信号線１２ｂから信号線１２ｃへ順方向、ＬＥＤ１１ｅは信号線１２ｃから信号線１２ａへ順方向、ＬＥＤ１１ｆは信号線１２ａから信号線１２ｃへ順方向となるように各信号線に接続されている。
【００２１】
マイコン４０は、スライドボリューム３０から出力されたＤＣ電圧を内蔵されたＡ／Ｄコンバータに入力して変換し、表１に基づいてＬＥＤ１１ａ〜１１ｆのうちいずれを点灯させるかを決定する。そして、表２に基づいて信号線１２ａ〜１２ｃの各電圧を設定して、決定されたＬＥＤを点灯させる。ＬＥＤ１１ａ〜１１ｆは、信号線１２ａ〜１２ｃの各電圧が表２の条件に設定された場合に点灯し、それ以外の条件に設定された場合には消灯する。ここで、Ｌ＝０Ｖ、Ｈ＝３Ｖ、Ｏ＝ハイインピーダンスとする。
【００２２】
【表１】
2004198850.tif 000003
【００２３】
【表２】
2004198850.tif 000004
【００２４】
このように、マイコン４０は、ＬＥＤ１１ａ〜１１ｆのうち、つまみ８の操作で調節された撮影距離と同じ位置にあるものを点灯させる点灯制御手段として用いられる。
【００２５】
以上のように構成されたカメラ２の作用について図５のフローチャートを参照しながら説明する。先ず、つまみ８を通常撮影位置に設定した場合には、スライドボリューム３０から出力されるＤＣ電圧は略３ＶであるのでＬＥＤ１１ａ〜１１ｆは全て消灯する。この場合撮影者は、被写体までの撮影距離を１．２ｍ以上として通常の撮影を行なえばよい。
【００２６】
つまみ８を操作してマクロ撮影範囲内となるように調節し、例えば０．７ＶのＤＣ電圧がスライドボリューム３０から出力されると、ＬＥＤ１１ｄのみが点灯する。この場合撮影者は、図２で示したようにストラップ１０を被写体に向けて伸ばし、被写体を点灯したＬＥＤ１１ｄの位置に合わせるように、すなわち被写体Ａで示した位置とすることでピントが合った撮影を行なうことができる。また、つまみ８を操作して、例えば０．２ＶのＤＣ電圧がスライドボリューム３０から出力されると、ＬＥＤ１１ａとＬＥＤ１１ｂとがともに点灯して、ピントが合う撮影距離を範囲で示す。この場合撮影者は、被写体を図２で示した被写体Ｂの位置に配置することでピントが合った撮影を行なうことができる。このように、撮影者は、被写体までの撮影距離を簡単かつ適切に決めることができる。
【００２７】
なお、上記実施形態では、６個のＬＥＤ１１ａ〜１１ｄにより発光部を構成したが、つまみ８で調節された撮影距離と同じ位置にあるＬＥＤが点灯するように構成しさえすれば、ＬＥＤの数や配置する位置は適宜変更してもよい。
【００２８】
また、ストラップ１０のその他の用途として、カメラ２に内蔵されたバッテリの残量警告をＬＥＤ１１ａ〜１１ｆの点灯によって示す機能を付加してもよい。通常、カメラ２を携帯する場合、カメラボディ３をソフトケース内に収納した状態でストラップ１０はソフトケース外に露出されているので、バッテリの残量を確認する際、ソフトケースを外してカメラボディ３に設けられた表示部を見る必要はなく、ストラップ１０により簡単に把握することができる。
【００２９】
さらに、本発明は、パンフォーカスタイプの撮影レンズが用いられたものであれば、写真フィルムを用いた写真カメラの他、デジタルカメラ等にも利用することができる。
【００３０】
【発明の効果】
以上説明したように、本発明のカメラによれば、マクロ撮影領域に撮影レンズを移動したときには、その移動位置に応じて、ストラップに組み込まれた発光部のうちピントの合う撮影距離と略同じ位置にあるものが点灯するので、被写体までの撮影距離を簡単かつ適切に決めることができる。
【図面の簡単な説明】
【図１】本発明を実施したカメラの外観斜視図である。
【図２】本発明を実施したカメラの上面概略図である。
【図３】本発明を実施したカメラの構成を示す概略図である。
【図４】ストラップの電気的構成を示す回路図である。
【図５】マイコンの処理を説明するフローチャート図である。
【符号の説明】
２  カメラ
３  カメラボディ
４  撮影レンズ
５  レンズ鏡筒
５ａ  レバー
１０  ストラップ
１１ａ〜１１ｆ  発光ダイオード
１２  フレキシブル配線板
１２ａ〜１２ｃ  信号線
２０  コネクタ
２０ａ〜２０ｂ  端子
３０  スライドボリューム
３１  可動片
４０  マイコン
【図１】
2004198850.tif 000005
【図２】
2004198850.tif 000006
【図３】
2004198850.tif 000007
【図４】
2004198850.tif 000008
【図５】
2004198850.tif 000009